(57)【要約】【課題】画像入力手段の種類やプリント作成条件に応じた形態で画像データを記録することができる画像記録装置及び画像記録方法の提供。【解決手段】記録メディアや写真フィルム等から画像データを得る画像入力手段と、得られた画像データに画像処理を施す画像変換手段と、変換された画像に基づいて写真プリントやインデックスプリントを作成するプリント作成手段と、変換された画像データを画像記録媒体に記録する画像記録手段とを少なくとも備え、画像変換手段２４では画像記録媒体の種類に応じた画像変換方法により変換が行われ、画像記録制御手段２５ではプリント作成条件に応じた画像記録条件により記録が制御され、更に、画像記録媒体やインデックスプリントには、プリント作成条件やトリミング指定に関する情報が記録されるため、ユーザが利用しやすい形態で画像データを記録することができる。【選択図】図３
2004291287.tif 000002
【特許請求の範囲】
【請求項１】
画像記録媒体に記録された画像を読み取って画像データとして得る画像入力手段と、前記入力された前記画像データを所定の画像処理により変換する画像変換手段と、前記画像変換手段で変換された画像に基づいてプリントを作成するプリント作成手段と、前記画像変換手段で変換された画像を前記画像記録媒体又は他の画像記録媒体に記録する画像記録手段とを少なくとも有する画像記録装置において、
前記プリント作成手段のプリント作成条件を参照して、前記画像記録手段で記録する前記画像の画像サイズを決定する手段を備え、該手段により、該画像サイズにて前記画像記録手段での記録が行われることを特徴とする画像記録装置。
【請求項２】
前記画像記録手段では、前記画像と共に前記プリント作成条件に関する情報が前記画像保存媒体に記録されることを特徴とする請求項１記載の画像記録装置。
【請求項３】
前記プリント作成条件に関する情報は、プリンタの解像度及びプリントサイズの情報を含むことを特徴とする請求項１又は２に記載の画像記録装置。
【請求項４】
前記画像入力手段で入力された前記画像データに対して前記画像変換手段で画像変換する際に、
前記画像データの画像出力領域がトリミング指定された場合には、前記プリント作成手段及び前記画像記録手段には、トリミング後の画像が出力されることを特徴とする請求項１乃至３のいずれか一に記載の画像記録装置。
【請求項５】
前記画像記録手段では、前記トリミング後の画像と共に前記トリミング指定に関する情報が前記画像保存媒体に記録されることを特徴とする請求項４記載の画像記録装置。
【請求項６】
前記プリント作成手段では、コマ画像の写真プリントと共に、全画像のインデックスプリントが作成され、前記インデックスプリントには、前記プリント作成条件に関する情報が印字されることを特徴とする請求項１乃至５のいずれか一に記載の画像記録装置。
【請求項７】
前記プリント作成手段では、コマ画像の写真プリントと共に、全画像のインデックスプリントが作成され、前記インデックスプリントに、前記トリミング指定に関する情報が印字されることを特徴とする請求項１乃至６のいずれか一に記載の画像記録装置。
【請求項８】
画像記録媒体に記録された画像を読み取って画像データとして得る画像入力手段と、前記入力された前記画像データを所定の画像処理により変換する画像変換手段と、前記画像変換手段で変換された画像に基づいてプリントを作成するプリント作成手段と、前記画像変換手段で変換された画像を前記画像記録媒体又は他の画像記録媒体に記録する画像記録手段とを少なくとも有する画像記録装置において、
前記画像入力手段で入力される前記画像記録媒体の種類に応じて、前記画像変換手段で行われる画像変換方法が選択可能とされ、前記画像保存手段で保存される前記画像の画像サイズ又は画像フォーマットの少なくとも１つが選択可能とされることを特徴とする画像記録装置。
【請求項９】
前記画像入力手段での入力が、写真フィルム上の原画からの入力の場合とデジタルカメラ用画像記録媒体からの入力の場合とで、前記画像変換手段で行われる画像変換方法が選択可能とされることを特徴とする請求項８記載の画像記録装置。
【請求項１０】
前記画像入力手段での入力が、写真フィルム上の原画からの入力の場合には、前記画像変換手段は、前記プリント作成条件に応じて、前記画像保存手段で保存する前記画像の画像サイズを決定し、
前記画像入力手段での入力が、デジタルカメラ用画像記録媒体からの入力の場合には、前記画像変換手段は、前記画像保存手段で保存する前記画像の画像サイズを入力した原画と同一とすることを特徴とする請求項８又は９に記載の画像記録装置。
【請求項１１】
画像記録媒体に記録された画像を読み取って画像データとして得る画像入力手段と、前記入力された前記画像データを所定の画像処理により変換する画像変換手段と、前記画像変換手段で変換された画像に基づいてプリントを作成するプリント作成手段と、前記画像変換手段で変換された画像を前記画像記録媒体又は他の画像記録媒体に記録する画像記録手段とを少なくとも有する画像記録装置における画像記録方法であって、
前記プリント作成手段のプリント作成条件を参照して、前記画像記録手段で記録する前記画像の画像サイズを決定するステップと、該画像サイズにて前記画像記録媒体に前記画像を記録する記録ステップとを備えることを特徴とする画像記録方法。
【請求項１２】
前記記録ステップでは、前記画像データと共に、前記プリント作成手段の前記プリント作成条件に関する情報を前記画像記録媒体に記録することを特徴とする請求項１１記載の画像記録方法。
【請求項１３】
前記プリント作成条件に関する情報は、プリンタの解像度及びプリントサイズの情報を含むことを特徴とする請求項１１又は１２に記載の画像記録方法。
【請求項１４】
前記画像入力手段で入力された前記画像データに対して前記画像変換手段で画像変換する際に、
前記画像データの画像出力領域がトリミング指定された場合には、前記プリント作成手段及び前記画像記録手段には、トリミング後の画像を出力することを特徴とする請求項１１乃至１３のいずれか一に記載の画像記録方法。
【請求項１５】
前記記録ステップでは、前記トリミング後の画像と共に前記トリミング指定に関する情報を前記画像保存媒体に記録することを特徴とする請求項１４記載の画像記録方法。
【請求項１６】
前記プリント作成手段では、コマ画像の写真プリントと共に、全画像のインデックスプリントを作成し、前記インデックスプリントには、前記プリント作成条件に関する情報を印字することを特徴とする請求項１１乃至１５のいずれか一に記載の画像記録方法。
【請求項１７】
前記プリント作成手段では、コマ画像の写真プリントと共に、全画像のインデックスプリントを作成し、前記インデックスプリントに、前記トリミング指定に関する情報を印字することを特徴とする請求項１１乃至１６のいずれか一に記載の画像記録方法。
【請求項１８】
画像記録媒体に記録された画像を読み取って画像データとして得る画像入力手段と、前記入力された前記画像データを所定の画像処理により変換する画像変換手段と、前記画像変換手段で変換された画像に基づいてプリントを作成するプリント作成手段と、前記画像変換手段で変換された画像を前記画像記録媒体又は他の画像記録媒体に記録する画像記録手段とを少なくとも有する画像記録装置における画像記録方法であって、
前記画像入力手段で入力される前記画像記録媒体の種類に応じて、前記画像変換手段で行われる画像変換方法を選択可能とし、前記画像保存手段で保存される画像データの画像サイズ又は画像フォーマットの少なくとも１つを選択可能とすることを特徴とする画像記録方法。
【請求項１９】
前記画像入力手段での入力が、写真フィルム上の原画からの入力の場合とデジタルカメラ用画像記録媒体からの入力の場合とで、前記画像変換手段で行われる画像変換方法が選択可能であることを特徴とする請求項１８記載の画像記録方法。
【請求項２０】
前記画像入力手段での入力が、写真フィルム上の原画からの入力の場合には、前記画像変換手段は、プリント作成手段で決定されるプリント条件に応じて、前記画像保存手段で保存する前記画像の画像サイズを決定し、
前記画像入力手段での入力が、デジタルカメラ用画像記録媒体からの入力の場合には、前記画像変換手段は、前記画像保存手段で保存する前記画像の画像サイズを入力した原画と同一とすることを特徴とする請求項１８又は１９に記載の画像記録方法。
【発明の詳細な説明】
【０００１】
【発明の属する技術分野】
本発明は、画像記録装置及び画像記録方法に関し、特に、デジタルカメラ用メディアや写真フィルム等の画像記録媒体から読み取った画像データをＣＤ−Ｒ等の画像記録媒体に記録する画像記録装置及び画像記録方法に関する。
【０００２】
【従来の技術】
写真フィルム上の原画を印画紙にプリントする同時プリントサービス時に、その写真フィルム上の原画をデジタイズ処理してＣＤ−Ｒ等の画像記録媒体に同時に保存するサービスや、デジタルカメラに装着される画像記録媒体内の画像データをＣＤ−Ｒ等の別の画像記録媒体に保存したりバックアップするサービスが一般化されつつあり、サービスに関連して様々な装置、方法が提案されている（例えば、特開平５−１８２３７３号公報等）。
【０００３】
上述したＣＤ−Ｒ書き込みサービスを利用することにより、ユーザは画像記録媒体に保存された原画をデジタル画像データとして取り扱うことができるため、自宅のパソコンで画像データを表示したり、その画像記録媒体をミニラボ等の写真処理店に持ち込んで写真プリントの作成に再利用することができる。また、写真画像をデジタル画像データとして保存することにより経年による原画の画質劣化から開放される等の付加価値が現れている。
【０００４】
【特許文献１】
特開平５−１８２３７３号公報（第４−６頁、第３図）
【０００５】
【発明が解決しようとする課題】
ＣＤ−Ｒ等の画像記録媒体に記録された画像データは、通常、４ＢＡＳＥ、１６ＢＡＳＥといった固定の画像サイズに限定され、同時プリントサービス時に使用された原画と別サイズの画像であるため、画像記録媒体内の画像データを再利用して再プリントを作成する場合には、プリントサイズに応じた画像のデジタル拡大／縮小処理が必要であるが、その画像処理によってプリントの画像が劣化してしまう場合があり、同時プリント時と同等の画質のプリントを得ることができないという問題がある。
【０００６】
また、デジタルカメラで写真を撮影した場合には、画像ファイルの付加情報として、カメラ撮影時の条件やプリント条件を情報ファイルとして別途書き込んだり（ＤＰＯＦ）、画像ファイルのヘッダ部に情報として書き込んだり（ＥＸＩＦ）する仕様が一般化されている。この場合、画像データをＣＤ−Ｒ等の別の画像記録媒体に保存したり、バックアップデータを作成する際には、ヘッダ情報等の付加情報を壊さないためにデジタル原画をそのままコピーして保存するのが望ましいが、現在のＣＤ−Ｒ書き込みサービスでは汎用的な画像フォーマットに変換されてしまう場合が多く、上記付加情報を有効に利用することができないという問題もある。
【０００７】
このように、ＣＤ−Ｒ書き込みサービスでは、画像サイズや画像フォーマット等の画像の変換や記録に関連して定められる条件（以下、画像記録条件と呼ぶ。）がデフォルトとして設定されており、予め定められた画像記録条件でしか記録ができないか、又は、複雑な操作を行わなければデフォルトの画像記録条件を変更することができず、入力手段の種類やプリント作成条件に応じた所望の形態で画像データを記録することができなかった。
【０００８】
本発明は、上記問題点に鑑みてなされたものであって、その主たる目的は、画像入力手段の種類やプリント作成条件に応じた形態で画像データを記録することができる画像記録装置及び画像記録方法を提供することにある。
【０００９】
【問題を解決するための手段】
上記目的を達成するため、本発明の画像記録装置は、画像記録媒体に記録された画像を読み取って画像データとして得る画像入力手段と、前記入力された前記画像データを所定の画像処理により変換する画像変換手段と、前記画像変換手段で変換された画像に基づいてプリントを作成するプリント作成手段と、前記画像変換手段で変換された画像を前記画像記録媒体又は他の画像記録媒体に記録する画像記録手段とを少なくとも有する画像記録装置において、前記プリント作成手段のプリント作成条件を参照して、前記画像記録手段で記録する前記画像の画像サイズを決定する手段を備え、該手段により、該画像サイズにて前記画像記録手段での記録が行われるものである。
【００１０】
本発明においては、前記画像記録手段では、前記画像と共に前記プリント作成条件に関する情報が前記画像保存媒体に記録される構成とすることができ、前記プリント作成条件に関する情報は、プリンタの解像度及びプリントサイズの情報を含むことが好ましい。
【００１１】
また、本発明においては、前記画像入力手段で入力された前記画像データに対して前記画像変換手段で画像変換する際に、前記画像データの画像出力領域がトリミング指定された場合には、前記プリント作成手段及び前記画像記録手段には、トリミング後の画像が出力されることが好ましく、前記画像記録手段では、前記トリミング後の画像と共に前記トリミング指定に関する情報が前記画像保存媒体に記録される構成とすることができる。
【００１２】
また、本発明においては、前記プリント作成手段では、コマ画像の写真プリントと共に、全画像のインデックスプリントが作成され、前記インデックスプリントには、前記プリント作成条件に関する情報、又は、前記トリミング指定に関する情報が印字される構成とすることもできる。
【００１３】
また、本発明の画像記録装置は、画像記録媒体に記録された画像を読み取って画像データとして得る画像入力手段と、前記入力された前記画像データを所定の画像処理により変換する画像変換手段と、前記画像変換手段で変換された画像に基づいてプリントを作成するプリント作成手段と、前記画像変換手段で変換された画像を前記画像記録媒体又は他の画像記録媒体に記録する画像記録手段とを少なくとも有する画像記録装置において、前記画像入力手段で入力される前記画像記録媒体の種類に応じて、前記画像変換手段で行われる画像変換方法が選択可能とされ、前記画像保存手段で保存される前記画像の画像サイズ又は画像フォーマットの少なくとも１つが選択可能とされるものである。
【００１４】
本発明においては、前記画像入力手段での入力が、写真フィルム上の原画からの入力の場合とデジタルカメラ用画像記録媒体からの入力の場合とで、前記画像変換手段で行われる画像変換方法が選択可能とされることが好ましく、前記画像入力手段での入力が、写真フィルム上の原画からの入力の場合には、前記画像変換手段は、前記プリント作成条件に応じて、前記画像保存手段で保存する前記画像の画像サイズを決定し、前記画像入力手段での入力が、デジタルカメラ用画像記録媒体からの入力の場合には、前記画像変換手段は、前記画像保存手段で保存する前記画像の画像サイズを入力した原画と同一とする構成とすることができる。
【００１５】
また、本発明の画像記録方法は、画像記録媒体に記録された画像を読み取って画像データとして得る画像入力手段と、前記入力された前記画像データを所定の画像処理により変換する画像変換手段と、前記画像変換手段で変換された画像に基づいてプリントを作成するプリント作成手段と、前記画像変換手段で変換された画像を前記画像記録媒体又は他の画像記録媒体に記録する画像記録手段とを少なくとも有する画像記録装置における画像記録方法であって、前記プリント作成手段のプリント作成条件を参照して、前記画像記録手段で記録する前記画像の画像サイズを決定するステップと、該画像サイズにて前記画像記録媒体に前記画像を記録する記録ステップとを備えるものである。
【００１６】
また、本発明の画像記録方法は、画像記録媒体に記録された画像を読み取って画像データとして得る画像入力手段と、前記入力された前記画像データを所定の画像処理により変換する画像変換手段と、前記画像変換手段で変換された画像に基づいてプリントを作成するプリント作成手段と、前記画像変換手段で変換された画像を前記画像記録媒体又は他の画像記録媒体に記録する画像記録手段とを少なくとも有する画像記録装置における画像記録方法であって、前記画像入力手段で入力される前記画像記録媒体の種類に応じて、前記画像変換手段で行われる画像変換方法を選択可能とし、前記画像保存手段で保存される画像データの画像サイズ又は画像フォーマットの少なくとも１つを選択可能とするものである。
【００１７】
このように、本発明の画像記録装置は、画像入力手段の種類やプリント作成条件に応じて画像記録条件を設定／選択することができるため、ユーザが利用しやすい形態で画像データを記録することができる。また、画像記録媒体や写真プリントと同時に作成されるインデックスプリントには画像データのみならず、プリント作成条件に関する情報やトリミング指定に関する情報が記録されるため、再度、写真プリントを作成する場合でも、同時プリント時と同質の写真プリントを得ることができる。
【００１８】
【発明の実施の形態】
本発明に係る画像記録装置は、その好ましい一実施の形態において、デジタルカメラ用メディアや写真フィルム等の画像記録媒体に記録された画像を読み取って画像データを得る画像入力手段と、得られた画像データに予め定められた条件に従って画像処理を施す画像変換手段と、変換された画像に基づいて写真プリントやインデックスプリントを作成するプリント作成手段と、変換された画像データをデジタルカメラ用メディア又は別の画像記録媒体に記録する画像記録手段とを少なくとも備え、画像変換手段では、画像記録媒体の種類に応じて画像変換方法が選択可能とされ、プリント作成手段におけるプリント作成条件に応じて画像データのサイズや画像フォーマット等の画像記録条件が選択可能とされ、更に、画像記録媒体や写真プリントと同時に作成されるインデックスプリントには、画像データに加えて、プリント作成条件に関する情報やトリミング指定に関する情報が記録されるため、ユーザが利用しやすい形態で画像データを記録することができると共に、該画像データを用いて再度写真プリントを作成する場合でも同時プリント時と同質の写真プリントを作成することができる。以下、本発明の画像記録装置を用いて、入力された画像を画像記録媒体に記録する具体的な操作について図面を参照して説明する。
【００１９】
【実施例】
本発明の一実施例に係る画像記録装置及び画像記録方法について、図１乃至図１０を参照して説明する。図１は、本発明の一実施例に係る画像記録装置の構造を示す外観図であり、図２は、その構成を示すブロック図である。また、図３は、本実施例の画像記録装置における画像記録に関連する手段を抽出したブロック図であり、図４は、本実施例の画像記録手順を示すフローチャート図である。また、図５乃至図９は、本実施例の画像記録装置の表示手段に表示される画面構成例を示す図であり、図１０は、プリントサイズと画像サイズとの関連を示す図である。
【００２０】
図１及び図２に示すように、本実施例の画像記録装置１は、様々な画像入力手段を用いて取り込んだ画像データを画像変換し、所定の画像記録条件でＣＤ−Ｒ等の画像記録媒体に記録する画像記録部２と、写真フィルムを現像し、画像データを印画紙に焼き付けて写真プリントやインデックスプリントを作成する露光／プリント部３とから構成され、これらが相互に接続され、画像記録部２から露光／プリント部３の制御が可能となっている。
【００２１】
画像記録部２は、現像済みの写真フィルム１６から画像情報を読み取るフィルムスキャナ部４、写真プリント１７などの原稿から画像情報を読み取る反射原稿入力装置５、デジタルカメラ１９やカメラ付き携帯電話機などの写真撮影機能を備えた撮影機器から画像データを読み取り、また、スマートメディア、コンパクトフラッシュ（登録商標）、メモリースティック（登録商標）、ＳＤメモリーカード、マルチメディアカード等の撮影機器用の画像記録媒体（以下、入力用画像記録媒体１８と呼ぶ。）から画像データを読み取る画像読取部６等の画像入力手段と、読み取った画像データを表示したり、後述する各種画面を表示するＣＲＴ、液晶等の表示部８と、キーボード、タッチパネル、マウス等の操作部９と、読み取った画像データに画像入力手段に応じて画像変換し、所定の画像記録条件やプリント作成条件に従って画像出力手段を制御する制御部７と、読み取った画像データをＣＤ−Ｒ、ＤＶＤ−Ｒ、ＭＯ等の画像記録媒体（以下、出力用画像記録媒体２０と呼ぶ。）に記録する画像書込部１０と、画像記録条件やプリントサイズと画像サイズの相関関係を示すデータテーブルなどを記憶する記憶部１１とを備えている。なお、図示しないが、画像入力手段として、インターネット（無線／有線を問わない）や赤外線等を用いた通信ネットワークを介して、他のコンピュータ端末やサーバから画像データを取り込む機能を備えていてもよい。
【００２２】
また、露光／プリント部３は、マガジン装填部１５を備え、画像情報を感光材料に露光する露光処理部１３と、露光された感光材料を現像処理して乾燥し、写真プリント２１やインデックスプリント２２を作成するプリント作成部１４と、これらの動作を制御する制御部１２と、図示しない表示部や操作部等を備え、制御部７で設定されるプリント作成条件に従って写真プリント２１やインデックスプリント２２を作成する。
【００２３】
なお、本実施例では、画像記録部２と露光／プリント部３とが別体として構成される画像記録装置１を例にして説明するが、画像記録部２と露光／プリント部３とが一体となって構成された画像記録装置を用いることもできる。また、画像記録部２の画像入力手段としては、少なくとも、フィルムスキャナ部４と画像読取部６とを備えていればよい。
【００２４】
次に、本実施例の画像記録部２の制御部７における画像変換、画像記録制御、プリント作成制御に関する部分の構成について図３を参照して説明する。制御部７には、表示部８で表示する各種画面（後述するホーム画面、第１ポップアップ画面、第２のポップアップ画面、画像記録条件設定画面、プレジャッジ画面等）を作成し、表示部８に表示する表示画面作成手段２３と、画像入力手段に応じて設定された条件等により画像変換処理を行う画像変換手段２４と、プリント作成条件に応じて設定される画像記録条件等により画像データの書き込みを制御すると共にプリント作成条件やトリミング指定に関する情報の書き込みを制御する画像記録制御手段２５と、写真プリント２１やインデックスプリント２２の印画を制御すると共にプリント作成条件やトリミング指定に関する情報の印字を制御するプリント作成部制御手段２６とを少なくとも備えている。
【００２５】
上記構成の画像記録装置１を用いて、入力用画像記録媒体１８や写真フィルム１６から読み取った画像データを出力用画像記録媒体２０に記録するまでの手順について、図４のフローチャート図、図５乃至図９の画面構成例及び図１０のデータテーブルを参照して説明する。
【００２６】
まず、ステップＳ１０１で、上記構成の画像記録部２を起動すると、ステップＳ１０２で、図５に示すような画像記録部２で行う処理を明示した基準画面（以下、ホーム画面２８と呼ぶ。）が表示される。このホーム画面２８には、例えば、露光／プリント部３で露光処理、プリント作成処理が行われる写真フィルムに関して設定する項目が表示される露光／プリント条件設定欄２８ａ、露光／プリント部３におけるプリント処理の状況を表示するプリント状況表示欄２８ｂ、作成するプリントやプリントに付加して実行される機能を設定する詳細設定欄２８ｃ、露光／プリント部３のセットアップやメンテナンスを実行するプリント作成装置操作欄２８ｄ等が表示される。
【００２７】
具体的には、例えば、露光／プリント条件設定欄２８ａには、フィルムの露光に際して使用するマスクを選択するフィルムマスク欄と、ネガ、ポジ、白黒等のフィルムの種類を設定するフィルム種欄と、プリントする方向を設定するプリント方向欄と、再度の焼き直しに関して設定する再焼き欄とが設けられ、また、詳細設定欄２８ｃには、設定された条件を表示するステータス欄と、Ｌ判、２Ｌ判等のプリントサイズを設定するプリントサイズ欄と、通常プリント、証明写真用プリント等のプリントサービスを設定するプリントサービス欄と、プリント作成に付随する機能や読み取った画像データを用いて実行可能な機能（以下、プリント付加機能と呼ぶ。）を設定するプリント付加機能欄と、カラー、白黒、セピア等の出力の種類を設定する出力種欄と、デジタルカメラ１９や入力用画像記録媒体１８等の画像データを入力する機器や媒体を設定する入力メディア欄とが設けられている。なお、図５の構成は例示であり、その構成は任意に設定することができる。また、画像記録部２を起動するとホーム画面２８が表示される構成としているが、ホーム画面２８が表示される前に他の画面が表示される構成としてもよい。
【００２８】
次に、ステップＳ１０３で、ユーザは画像データの入力方法の選択を行う。例えば、画像記録部２にフィルムスキャナ部４が標準的に設けられている場合には、通常はフィルムスキャナ部４で読み取った画像データが入力され、他の入力方法を選択する場合には、ホーム画面２８の入力メディア欄の中から所望のボタン（例えば、デジタルカメラ１９や他の撮影機器から読み取る場合はデジタルカメラボタン、入力用画像記録媒体１８から読み取る場合はメディアボタン、写真プリント１７等の原稿から読み取る場合はフラットベッドボタン、記憶部１１に記憶されている画像データを用いる場合はストレージ画像ボタン、通信ネットワークで接続されている他のコンピュータ端末やサーバ等の画像データを用いる場合は外部ＰＣボタン等）を選択する。
【００２９】
次に、ステップＳ１０４で、取り込んだ画像データを用いて写真プリント２１を作成するかを否かを選択し、写真プリント２１を作成する場合には、ステップＳ１０５で、ホーム画面２８の詳細設定欄２８ｃ中のプリントサイズ欄、プリントサービス欄、出力種欄等を設定する。その際、プリントサービス欄のサービス設定ボタンをクリックするとプリントに関する各種設定が可能な画面（図示せず）が表示され、画像記録部２に複数のプリンタが接続されている場合には、出力するプリンタを選択したり、プリンタの解像度を設定することができる。また、写真プリント２１を作成しない場合には、ホーム画面２８の詳細設定欄２８ｃのプリントサイズ欄でプリント無しを選択する。
【００３０】
次に、ステップＳ１０６で、プリント付加機能の選択を行う。本実施例の画像記録部２では、プリント付加機能として、例えば、読み取った画像データを縮小サイズで配列したインデックスプリント２２を作成する機能（インデックスボタン）、フィルムの露光処理からプリント作成処理までを自動的に行う機能（オートボタン）、写真プリント２１を２枚ずつ作成する機能（ダブルボタン）、写真プリント２１の出来映えを確認するための試し焼機能（試し焼ボタン）、読み取った画像データを通信ネットワークで接続された他のコンピュータ端末に出力する機能（外部ＰＣボタン）、画像データをＣＤ−Ｒ等の出力用画像記録媒体２０に記録する機能（ＣＤ−Ｒボタン）等が設けられており、画像データを様々な形態で利用できるように構成されている。以下の説明では、プリント付加機能として画像データをＣＤ−Ｒに記録する機能を選択した場合について説明するが、他の機能を選択した場合についても、表示される画面の基本的な構成や操作方法は同様である。
【００３１】
まず、ユーザがマウス等の操作部９を操作してポインタをＣＤ−Ｒボタン上に移動し右クリックすると、図６に示すような第１ポップアップ画面２９が、ＣＤ−Ｒボタンとの対応が分かるようにホーム画面２８のＣＤ−Ｒボタンの一部と重なるように表示される。この第１ポップアップ画面２９には、選択したプリント付加機能で設定することができるメニューが一覧表示される。例えば、ＣＤ−Ｒボタンの場合は、予め登録された画像記録条件を選択する”サービス選択”と、複数のオーダーで読み込んだ（例えば、複数の写真フィルム１６から読み取った）画像データを１つのＣＤ−Ｒにまとめて書き込むかを選択する”まとめ書き”と、画像データを記録するＣＤ−Ｒの数を設定する”ＣＤ−Ｒ枚数”と、ＣＤ−Ｒジャケット用のインデックスプリントの作成枚数を指定する”インデックスプリント枚数”と、インデックスプリントのサイズを指定する”インデックスプリントサイズ”と、ＣＤ−Ｒへの記録を開始する前に書き込む画像データを画面上に表示させるかを選択する”プレビュー表示”と、”サービス選択”で表示される画像記録条件の具体的項目を設定する”サービス設定”と、インデックスプリントに関する詳細な設定を行う”インデックス設定”とが表示される。
【００３２】
そして、第１ポップアップ画面２９中の”サービス設定”を選択すると、図８に示すような画像記録条件設定画面３１が表示される。この画像記録条件設定画面３１では、複数の画像記録条件（ここではサービス１〜１０の１０種類）が設定可能となっており、各々の設定画面には、例えば、第１ポップアップ画面２９の”サービス選択”で表示されるサービスの名称を登録する呼称欄と、オーダー番号の付番方法を選択するオーダーＮｏ．欄と、スキャン解像度（例えば、等倍、４Ｂａｓｅ等）を選択する解像度欄と、記録される画像データを実際にプリントされる画像と同じ領域に設定するＢＬボーダーカット欄と、ＣＤ−Ｒに保存する際のフォルダ構成を選択する保存形式欄と、画像データの変換フォーマット（例えば、ＪＰＥＧ、ＴＩＦＦ、ＢＭＰ、Ｂ４８、Ｔ４８等）を選択する画像フォーマット欄と、画像フォーマット欄でＪＰＥＧを選択した場合の圧縮率を選択するＪＰＥＧ圧縮率欄と、スキャン形式を選択するスキャン形式欄と、ＣＤ−Ｒの書き込み方式（例えば、ＩＳＯ９６６０、Ｊｏｌｉｅｔ等のファイルシステム）を選択するファイルシステム欄と、入力種がデジタルカメラ１９の入力用画像記録媒体１８である場合に、６コマでの回転、色補正、画像フォーマット変換等の画像加工を行うかを設定するデジカメ・メディア加工欄と、記録媒体に画像データと共にアプリケーションソフトを書き込む場合にソフトの選択やコピー先のフォルダ名を設定するバンドルソフト欄と、フォルダ構成に使用するファイルの名前を生成する際の形式を選択するファイル形式欄と、ＣＤ−Ｒ用のインデックスプリントを作成する場合のペーパー幅やインデックスプリントの枚数を指定するインデックスサイズ、インデックスプリント欄と、ＣＤ−Ｒの書き込み枚数を設定するＣＤＲ書込み数欄と、プレビュー表示を行うかを設定するプレビュー表示欄等が表示され、ステップＳ１０７で、ユーザはこれらの欄を使用形態に合わせて適宜設定する。なお、図８の構成は例示であり、その構成は任意に設定することができるが、少なくとも、画像変換に関する条件（例えば、デジカメ・メディア加工欄”）と画像記録に関する条件（例えば、解像度欄や画像フォーマット欄）とが含まれることが好ましい。
【００３３】
ここで、入力される画像は様々であり、写真フィルム１６を読み取って得られた画像もあれば、デジタルカメラ１９等の撮影手段で撮影された画像もあり、出力用画像記録媒体２０に画像データを記録する場合、画像記録媒体の種類に応じて画像記録条件が適宜設定できることが望まれるが、従来の画像記録装置では画像記録条件を複数設定することができず、設定可能な項目は限られていたため使用上不便であった。これに対して、本実施例の構成では、複数の画像記録条件が設定可能であり、かつ、各々の画像記録条件においても多様な項目が設定可能であるため、ユーザは使用形態に応じて予め画像記録条件を複数設定し登録しておくことができ、利便性を向上させることができる。
【００３４】
具体的には、入力された画像がデジタルカメラ１９で撮影して得られた画像の場合と写真フィルム１６をスキャンして得られた画像の場合とでは使用目的が異なり、デジタルカメラ１９で撮影して得られた画像の場合は、通常そのままの形態で画面上に表示したり、写真プリント２１が作成されるが、写真フィルム１６をスキャンして得られた画像を用いて写真プリント２１を作成する場合はプリントに適した形態に変換される場合が多く、必然的に画像記録条件を変更する必要が生じる。
【００３５】
そこで、本実施例では、例えば、画像記録条件設定画面３１にデジカメ・メディア加工欄を設け、画像がデジタルカメラ１９や入力用画像記録媒体１８から入力される場合には、画像サイズの変換等の加工を行わずに、入力した原画を同一の画像サイズや画像フォーマットで出力用画像記録媒体２０に記録する設定ができるようにし、また、画像がフィルムスキャナ部４から入力される場合には、ホーム画面２８のプリントサイズ欄、プリントサービス欄、出力種欄で設定された条件や、プリントサービス欄のサービス設定画面で選択されたプリンタ解像度等のプリンタ作成条件に応じて設定される画像サイズや画像フォーマットで出力用画像記録媒体２０に記録する設定ができるようにしている。例えば、プリント作成条件に応じて画像サイズを設定する場合には、記憶部１１に予め図１０に示すような、プリントサイズと画像サイズとの相関関係を示すデータテーブルを記憶しておき、プリントサイズ欄でプリントサイズが設定されたら、このデータテーブルを参照して画像サイズを決定し、この画像サイズで画像データの記録が行われる。
【００３６】
そして、画像記録条件を設定した後、画面の登録ボタンを押すことにより、設定した画像記録条件が登録される。その後、ユーザは第１ポップアップ画面２９の中から”サービス選択”を選択し、ポインタを所定のラインに移動すると、図７に示すように、その段階で登録されているサービスが選択可能な第２ポップアップ画面３０が表示され、ユーザはその中からステップＳ１０７で設定したサービスを選択すると、設定した画像記録条件での処理が可能となる。
【００３７】
次に、ステップＳ１０８で、フィルムスキャナ部４に写真フィルム１６を装填したり、画像読取部６に入力用画像記録媒体１８を装填したり、表示部８や操作部９を用いて処理の開始を指示すると、上記方法で設定された条件に従って一連の処理が開始される。
【００３８】
具体的には、ステップＳ１０９で、フィルムスキャナ部４又はホーム画面２８の入力メディア欄で設定された画像入力手段によって画像が取り込まれる。そして、画像入力手段がフィルムスキャナ部４の場合は、ステップＳ１１０で、表示部８には図９に示すようなプリントに適切な条件を入力するための画面（プレジャッジ画面３２と呼ぶ。）が表示される。このプレジャッジ画面３２には、取り込まれた画像を６コマ表示又は１コマ表示（図では６コマ表示）する画像表示欄３２ａと、プレスキャンしたコマがずれている場合にずれを修正するためのコマ移動ボタン３２ｂと、各々のコマ画像を色補正するためのカラーキー補正ボタン３２ｃと、コマ画像の回転やアンダー補正のレベルの指定、画質調整、ＣＨＰ切り替え等を行う設定ボタン３２ｄとが表示され、コマ画像に対して各種調整ができるように構成されている。また、各々のコマ画像内でマウスをドラッグすることにより、プリント出力する領域（図９のトリミング領域３２ｅ）を指定するトリミング指定が可能であり、必要に応じて、ユーザは操作部９を用いて写真フィルム１６の各々のコマに対してトリミング指定を行う。
【００３９】
そして、ステップＳ１１１で、画像変換手段２４は、画像記録条件設定画面３１で設定された画像サイズや画像フォーマット、上記ステップで設定されたトリミング指定に応じて画像変換処理を行い、変換された画像データを露光／プリント部３に送り、ステップＳ１１２で写真プリント２１の作成が行われる。その際、ステップＳ１１０でトリミング指定されている場合はトリミング結果の画像が用いられる。また、写真プリント２１の作成と共にインデックスプリント２２の作成が選択されている場合（例えば、図５のホーム画面２８のプリント付加機能欄でインデックスボタンが選択されている場合）は、写真フィルム１６に記録されているコマ画像を縮小したサムネイル画像が配列されたインデックスプリント２２が作成される。
【００４０】
なお、インデックスプリント２２にはサムネイル画像のみを印画してもよいが、プリント作成部１４で決定されたプリント作成条件やプレジャッジ画面３２で設定されたトリミング指定に関する情報を記録してもよく、プリント作成部制御手段２６で、画像と共にこのような情報を記録することにより、ユーザはインデックスプリント２２を見てプリント作成に関する情報を入手することができ、再度写真プリント２１を作成する場合などに効果的に利用することができる。
【００４１】
また、画像変換手段２４で変換された画像データは画像書込部１０に送られ、画像記録条件設定画面３１で設定された画像サイズや画像フォーマット等の画像記録条件に従って、出力用画像記録媒体２０に記録される。その際、プレジャッジ画面３２でトリミング指定がされた場合には、トリミング結果の画像データが記録されることが好ましい。また、出力用画像記録媒体２０には画像データのみを記録してもよいが、出力用画像記録媒体２０に記録された画像データを用いて再度写真プリント２１を作成する場合を考慮して、画像データに関連する情報も記録することもできる。例えば、画像記録制御手段２５により画像データと共にプリンタ解像度やプリントサイズなどのプリント作成条件に関する情報を記録したり、トリミング指定に関する情報を記録することもでき、このような情報を記録することにより、出力用画像記録媒体２０の利用価値を高めることができる。
【００４２】
このように、本実施例の画像記録装置１では、画像入力手段の種類やプリント作成条件に応じて画像記録条件を設定することができ、設定された条件に基づいて出力用画像記録媒体２０に画像データが記録されるため、ユーザは使用形態に適した画像データを入手することができる。また、出力用画像記録媒体２０やインデックスプリント２２には、画像データのみならず、プリント作成条件に関する情報やトリミング指定に関する情報も記録されるため、再度写真プリントを作成する場合などに有効に利用することができる。
【００４３】
【発明の効果】
以上説明したように、本発明の画像記録装置及び画像記録方法によれば下記記載の効果を奏する。
【００４４】
本発明の第１の効果は、画像記録媒体の種類に応じた形態で画像データを画像記録媒体に記録することができるということである。
【００４５】
その理由は、少なくとも画像サイズや画像フォーマットを含む画像記録条件を画像記録媒体に対応して複数設定することができ、この画像記録条件に従って画像変換され画像記録媒体に記録されるからである。
【００４６】
また、本発明の第２の効果は、上記画像記録媒体を用いて、同時プリントと同質の写真プリントを作成することができるということである。
【００４７】
その理由は、画像記録媒体には、プリント作成条件に応じて決定される画像サイズで画像データが記録され、また、画像データと共にプリント作成条件に関する情報やトリミング指定に関する情報が記録されるからである。
【００４８】
また、本発明の第３の効果は、利用価値の高いインデックスプリントを提供することができるということである。
【００４９】
その理由は、インデックスプリントには、全画像を縮小配列した画像を印画すると共にプリント作成条件に関する情報やトリミング指定に関する情報が印字されるからである。
【図面の簡単な説明】
【図１】本発明の一実施例に係る画像記録装置の外観図である。
【図２】本発明の一実施例に係る画像記録装置の機能を示すブロック図である。
【図３】本発明の一実施例に係る画像記録装置における制御部の主な手段を示すブロック図である。
【図４】本発明の一実施例に係る画像記録手順を示すフローチャート図である。
【図５】本発明の一実施例に係る画像記録装置で表示される画面（ホーム画面）の構成例を示す図である。
【図６】本発明の一実施例に係る画像記録装置で表示される画面（第１ポップアップメニュー画面）の構成例を示す図である。
【図７】本発明の一実施例に係る画像記録装置で表示される画面（第２ポップアップメニュー画面）の構成例を示す図である。
【図８】本発明の一実施例に係る画像記録装置で表示される画面（画像記録条件設定画面）の構成例を示す図である。
【図９】本発明の一実施例に係る画像記録装置で表示される画面（プレジャッジ画面）の構成例を示す図である。
【図１０】本発明の一実施例に係る画像記録装置で利用されるプリントサイズと画像サイズとの相関関係を示すデータテーブルである。
【符号の説明】
１  画像記録装置
２  画像記録部
３  露光／プリント部
４  フィルムスキャナ部
５  反射原稿入力装置
６  画像読込部
７  制御部
８  表示部
９  操作部
１０  画像書込部
１１  記憶部
１２  制御部
１３  露光処理部
１４  プリント処理部
１５  マガジン装填部
１６  写真フィルム
１７  写真プリント
１８  入力用画像記録媒体
１９  デジタルカメラ
２０  出力用画像記録媒体
２１  写真プリント
２２  インデックスプリント
２３  表示画面作成手段
２４  画像変換手段
２５  画像記録制御手段
２６  プリント作成制御手段
２８  ホーム画面
２８ａ  露光／プリント条件設定欄
２８ｂ  プリント状況表示欄
２８ｃ  詳細設定欄
２８ｄ  プリント作成装置操作手段
２９  第１ポップアップ画面
３０  第２ポップアップ画面
３１  画像記録条件設定欄
３２  プレジャッジ画面
３２ａ  画像表示欄
３２ｂ  コマ移動ボタン
３２ｃ  カラーキー補正ボタン
３２ｄ  設定ボタン
３２ｅ  トリミング領域
【図１】
2004291287.tif 000003
【図２】
2004291287.tif 000004
【図３】
2004291287.tif 000005
【図４】
2004291287.tif 000006
【図５】
2004291287.tif 000007
【図６】
2004291287.tif 000008
【図７】
2004291287.tif 000009
【図８】
2004291287.tif 000010
【図９】
2004291287.tif 000011
【図１０】
2004291287.tif 000012